(57)【特許請求の範囲】
【請求項１】
放送信号に含まれるサービスに対応する音声を出力するとともに、前記放送信号に一時的に挿入されたアナウンスメントに対応する音声に切り替えて出力する放送受信機において、
前記放送信号を受信して前記サービスおよび前記アナウンスメントを抽出する受信手段と、
前記受信手段によって抽出された前記サービスおよび前記アナウンスメントのそれぞれに対応する音声信号を出力する音声出力手段と、
前記受信手段によって抽出されたアナウンスメントについて、前回抽出されたアナウンスメントと内容比較を行い、内容が同一であるか否かを判定するアナウンスメント比較手段と、
前記アナウンスメント比較手段によって同一でない旨の判定がなされたときに、アナウンスメントの音声信号を前記音声出力手段から出力する切替指示を行うアナウンスメント切替手段と、
を備え、前記アナウンスメント比較手段は、アナウンスメントに対応する圧縮音声データに基づいてアナウンスメントの内容比較を行い、
前記圧縮音声データには、音声波形を示す第１のデータと、前記音声波形について複数の周波数帯域のそれぞれに対応する信号の有無を示す第２のデータと、前記音声波形について複数の周波数帯域のそれぞれに対応する信号レベルを示す第３のデータとが含まれており、
前記アナウンスメント比較手段は、前記第２および第３のデータの少なくとも一方に基づいてアナウンスメントの内容比較を行うことを特徴とする放送受信機。
【請求項２】
請求項１において、
前記アナウンスメント比較手段は、音声波形を示すデータに基づいてアナウンスメントの内容比較を行うことを特徴とする放送受信機。
【請求項３】
請求項１または２において、
前記アナウンスメント比較手段は、アナウンスメントの内容比較を行う前に、比較対象となる２つのアナウンスメントの時間的なずれを調整することを特徴とする放送受信機。
【請求項４】
請求項１〜３のいずれかにおいて、
前記アナウンスメントには、このアナウンスメントが同じ内容について再送されたものであるか否かを示す識別情報が対応付けられており、
前記受信手段によって抽出されたアナウンスメントが、再送されていない新しい内容を有するものであることが前記識別情報に基づいて検出されたときに、前記アナウンスメント切替手段は、このアナウンスメントの音声信号を前記音声出力手段から出力する切替指示を行い、前記アナウンスメント比較手段はアナウンスメントの内容比較動作を行わないことを特徴とする放送受信機。
【請求項５】
請求項１〜４のいずれかにおいて、
前記受信手段によって抽出されたアナウンスメントのデータを格納するアナウンスメント格納手段をさらに備え、
前記アナウンスメント切替手段は、前記アナウンスメント比較手段によって同一でない旨の判定がなされたときに、前記アナウンスメント格納手段に格納されたアナウンスメントのデータを読み出してこのアナウンスメントの音声信号を前記音声出力手段から出力する切替指示を行うことを特徴とする放送受信機。
【請求項６】
請求項１〜４のいずれかにおいて、
前記受信手段によって抽出されたアナウンスメントのデータの中から、アナウンスメントの内容比較に必要な一部のデータを格納するアナウンスメント格納手段をさらに備え、
前記アナウンスメント切替手段は、前記アナウンスメント比較手段によって同一でない旨の判定がなされたときに、前記受信手段によって次に抽出されるアナウンスメントの音声信号を前記音声出力手段から出力する切替指示を行うことを特徴とする放送受信機。
【発明の詳細な説明】
【技術分野】
【０００１】
本発明は、ＤＡＢ（Digital Audio Broadcasting）／Ｔ−ＤＭＢ（Terrestrial-digital media broadcasting）放送規格にしたがった番組データ等を受信する放送受信機に関する。
【背景技術】
【０００２】
従来から、デジタル変調された放送信号を受信するＤＡＢ受信機が知られている（例えば、特許文献１参照。）。このＤＡＢ受信機では、通常のサービスに付加される一時的なアナウンスメントを受信したときに、通常のサービスに対応する音声の出力を中断してアナウンスメントに対応する音声に切り替えて出力している。このアナウンスメントは、同じ内容のものが複数回繰り返し送信されており、ニューフラグ（New flag）の内容を調べることにより、そのアナウンスメントが新規のものであるか２回目以降のものであるかを知ることができる。上述したＤＡＢ受信機では、ニューフラグが“１”のアナウンスメントのみを再生対象とすることで、繰り返し同じ内容のアナウンスメントが送られてくる場合であっても１回だけ聴くようにすることができ、聴取済みのアナウンスメントを繰り返し再生して通常のサービスの音声出力が頻繁に中断されることを防止することができる。
【先行技術文献】
【特許文献】
【０００３】
【特許文献１】特開２０００−２９５１２６号公報
【発明の概要】
【発明が解決しようとする課題】
【０００４】
ところで、上述した特許文献１に開示されたＤＡＢ受信機では、車両に搭載した場合に以下に示す問題があった。
【０００５】
停車中にＤＡＢ受信機の電源が切断された場合や、電波が届きにくいトンネル等の場所を走行している場合に、その間にニューフラグが“１”に設定されたアナウンスメントが送信されてもこのアナウンスメントを受信することができない。したがって、その後に同じ内容のアナウンスメントを受信しても、ニューフラグが“０”に設定されているため再生対象から除外してしまい、未再生のアナウンスメントを受信しても聴き逃すことになる。一方、電源投入直後やトンネル等から離脱直後に受信したアナウンスメントについてはニューフラグの設定内容にかかわらず再生対象とすることによりこのような聴き逃しは回避することができるが、電源切断時間やトンネル等の走行時間が短い場合にはこの短い時間の間にニューフラグが“１”のアナウンスメントが送信されるとは限らないため、同じ内容のアナウンスメントを２回再生してしまうことになる。
【０００６】
本発明は、このような点に鑑みて創作されたものであり、その目的は、未再生のアナウンスメントの聴き漏らしや同じ内容のアナウンスメントの重複した再生を防止することができる放送受信機を提供することにある。
【課題を解決するための手段】
【０００７】
上述した課題を解決するために、本発明の放送受信機は、放送信号に含まれるサービスに対応する音声を出力するとともに、放送信号に一時的に挿入されたアナウンスメントに対応する音声に切り替えて出力する放送受信機において、放送信号を受信してサービスおよびアナウンスメントを抽出する受信手段と、受信手段によって抽出されたサービスおよびアナウンスメントのそれぞれに対応する音声信号を出力する音声出力手段と、受信手段によって抽出されたアナウンスメントについて、前回抽出されたアナウンスメントと内容比較を行い、内容が同一であるか否かを判定するアナウンスメント比較手段と、アナウンスメント比較手段によって同一でない旨の判定がなされたときに、アナウンスメントの音声信号を音声出力手段から出力する切替指示を行うアナウンスメント切替手段とを備えている。
【０００８】
放送信号に含まれるアナウンスメントを受信したときに、このアナウンスメントの内容が既に受信したアナウンスメントの内容と同じであるか否かが判定されるため、新規のアナウンスメントのみを出力対象にすることができ、未再生のアナウンスメントの聴き漏らしや同じ内容のアナウンスメントの重複再生を防止することができる。
【０００９】
また、上述したアナウンスメント比較手段は、アナウンスメントに対応する圧縮音声データに基づいてアナウンスメントの内容比較を行う。アナウンスメントの比較に圧縮音声データを用いることにより、少ないデータ量で比較を行うことが可能になり、処理の負担を軽減することができる。
【００１０】
また、上述した圧縮音声データには、音声波形を示す第１のデータと、音声波形について複数の周波数帯域のそれぞれに対応する信号の有無を示す第２のデータと、音声波形について複数の周波数帯域のそれぞれに対応する信号レベルを示す第３のデータとが含まれており、アナウンスメント比較手段は、第２および第３のデータの少なくとも一方に基づいてアナウンスメントの内容比較を行う。音声波形のデータそのものではなくその特徴を示す第２および第３のデータを用いて比較を行うことにより、さらに少ないデータ量で比較を行うことが可能になり、処理の負担を軽減することができる。
【００１３】
また、上述したアナウンスメント比較手段は、音声波形を示すデータに基づいてアナウンスメントの内容比較を行うことが望ましい。音声波形を示すデータを用いることにより、データの圧縮形式や音声信号の変調方式（デジタル／アナログ）にかかわらず確実にアナウンスメントの比較を行うことができる。
【００１４】
また、上述したアナウンスメント比較手段は、アナウンスメントの内容比較を行う前に、比較対象となる２つのアナウンスメントの時間的なずれを調整することが望ましい。これにより、例えばアナウンスメントの送信が開始された後実際に受信機においてそのアナウンスメントを受信、蓄積して内容解析を行うまでの時間的なずれをなくすことができ、時間的なずれに起因してアナウンスメントが同一でないとする誤判定を防止することができる。
【００１５】
また、上述したアナウンスメントには、このアナウンスメントが同じ内容について再送されたものであるか否かを示す識別情報が対応付けられており、受信手段によって抽出されたアナウンスメントが、再送されていない新しい内容を有するものであることが識別情報に基づいて検出されたときに、アナウンスメント切替手段は、このアナウンスメントの音声信号を音声出力手段から出力する切替指示を行い、アナウンスメント比較手段はアナウンスメントの内容比較動作を行わないことが望ましい。これにより、識別情報に基づいてアナウンスメントが新規のものであることがわかっているときにアナウンスメントの内容比較動作を省略することができるため、その分処理負担を軽減することが可能となる。
【００１６】
また、上述した受信手段によって抽出されたアナウンスメントのデータを格納するアナウンスメント格納手段をさらに備え、アナウンスメント切替手段は、アナウンスメント比較手段によって同一でない旨の判定がなされたときに、アナウンスメント格納手段に格納されたアナウンスメントのデータを読み出してこのアナウンスメントの音声信号を音声出力手段から出力する切替指示を行うことが望ましい。これにより、受信したアナウンスメントが未再生であった場合にそのアナウンスメントの聴き漏らしを確実に防止することができる。
【００１７】
また、上述した受信手段によって抽出されたアナウンスメントのデータの中から、アナウンスメントの内容比較に必要な一部のデータを格納するアナウンスメント格納手段をさらに備え、アナウンスメント切替手段は、アナウンスメント比較手段によって同一でない旨の判定がなされたときに、受信手段によって次に抽出されるアナウンスメントの音声信号を音声出力手段から出力する切替指示を行うことが望ましい。アナウンスメント格納手段はアナウンスメントの内容比較に必要な最小限の容量を備えればよいため、アナウンスメント格納手段の容量を少なくすることができ、部品コストを低減することができる。
【図面の簡単な説明】
【００１８】
【図１】一実施形態のデジタル放送受信機の構成を示す図である。
【図２】ＤＡＢ／Ｔ−ＤＭＢ放送規格にしたがった放送信号のフレーム構成を示す図である。
【図３】ＭＰ２データのフレーム構造を示す図である。
【図４】受信したアナウンスメントの音声に切り替える動作手順を示す流れ図である。
【図５】ＭＰ２データの位置合わせの説明図である。
【図６】ＭＰ２データを用いた音声波形の比較動作の説明図である。
【図７】受信したアナウンスメントの音声に切り替える動作手順の変形例を示す流れ図である。
【図８】受信したアナウンスメントの音声に切り替える動作手順の他の変形例を示す流れ図である。
【図９】受信したアナウンスメントの音声に切り替える動作手順の他の変形例を示す流れ図である。
【発明を実施するための形態】
【００１９】
以下、本発明を適用した一実施形態のデジタル放送受信機について、図面を参照しながら説明する。図１は、一実施形態のデジタル放送受信機の構成を示す図である。このデジタル放送受信機は、主に欧州で用いられているＤＡＢ／Ｔ−ＤＭＢ放送規格にしたがったデジタル放送信号を受信するためのものである。また、例えば、このデジタル放送受信機は車両に搭載されている。
【００２０】
図１に示すように、本実施形態のデジタル放送受信機は、ＲＦ部１０、ＦＥ（フロントエンド）部２０、ＢＥ（バックエンド）部３０、出力処理部３２、アンプ３４、スピーカ３６、主制御部４０、表示装置５０、操作部５２、メモリ６０を備えている。
【００２１】
本実施形態のデジタル放送受信機は、変調方式としてＯＦＤＭ（Orthogonal Frequency Division Multiplexing）を用いたマルチキャリア方式で放送されたデジタル放送信号を受信して復調処理および復号化処理を行って音声データを再生する。ＲＦ部１０は、高周波回路であって、アンテナ１２を介して受信した放送信号を中間周波信号に変換する。ＦＥ部２０は、ＲＦ部１０から出力される中間周波信号に対して復調処理と復号化処理を行ってサービス毎の圧縮音声データや、サービスとは別に挿入された各種アナウンスメントの圧縮音声データを出力する。例えば、圧縮音声データとして、ＭＰ２（MPEG1 Audio Layer2とMPEG2 Audio Layer2）形式の圧縮音声データが出力される。
【００２２】
図２は、ＤＡＢ／Ｔ−ＤＭＢ放送規格にしたがった放送信号のフレーム構成を示す図である。図２に示すように、フレームは、同期チャネル、ファースト・インフォメーション・チャネルＦＩＣ、メイン・サービス・チャネルＭＳＣによって構成されている。
【００２３】
同期チャネルは、ＮＵＬＬシンボルと位相基準シンボルＰＲＳ（Phase Reference Symbol）からなり、フレームの先頭部分を検出してフレーム同期をとるために用いられる。ファースト・インフォメーション・チャネルＦＩＣは、メイン・サービス・チャネルＭＳＣの内容を説明する領域であり、時間／日付データ、サービス（番組）の配列データ、サービスのラベル（名称）、サービス識別コードＳＩＤ（Service Identification Code）などが含まれる。複数個のＦＩＧ（ファースト・インフォメーション・グループ）がエネルギ拡散されて、所定の情報単位である１個のＦＩＢ（ファースト・インフォメーション・ブロック）を構成している。また、各ＦＩＢは、畳み込み符号化され、この畳み込み符号化された３個のＦＩＢが１個のＦＩＣを構成している。メイン・サービス・チャネルＭＳＣは、複数のサービスのそれぞれに対応する主に音楽データが含まれる。このメイン・サービス・チャネルＭＳＣは、エネルギ拡散され、畳み込み符号化され、タイムインターリーブされた複数個のサブ・チャネル（ＳｕｂＣｈ）を含んでいる。
【００２４】
本実施形態では、各種のサービスの音声出力からアナウンスメントの音声出力に切り替える方法に特徴がある。受信中の放送信号（アンサンブル）についてアナウンスメントサポートを特定するためにＦＩＧ（０／１８）が用いられる。このＦＩＧ（０／１８）には、アナウンスメントサポートフラグ、クラスタ数、クラスタＩＤが含まれている。アナウンスメントサポートフラグは、先頭のサービス識別コードＳＩＤで特定されるサービスがサポートしているアナウンスメントタイプを示すフラグである。アナウンスメントタイプとしては、緊急放送、道路交通情報放送、ニュース放送、天気予報放送などがある。また、クラスタ数は、続くクラスタＩＤの数を示しており、最大２３となっている。クラスタＩＤは、サービス識別コードＳＩＤで示されるサービスがサポートしているアナウンスメントのグループ（アナウンスメントクラスタ）を識別するための識別子である。
【００２５】
また、受信中の放送信号についてアナウンスメントへの切り替えを行うためにＦＩＧ（０／１９）が用いられる。このＦＩＧ（０／１９）には、クラスタＩＤ、アナウンスメントスイッチングフラグ、ニューフラグ、リージョンフラグ、サブチャネル識別が含まれる。アナウンスメントスイッチングフラグは、各クラスタＩＤで示されるアナウンスメントクラスタの放送状況を示すものである。そのクラスタＩＤに属しているアナウンスメントが放送されている場合には、このフラグの内、放送中のアナウンスメントタイプに対応するビットが“１”にセットされ、アナウンスメントが放送されていない場合にはそのクラスタＩＤに対応するアナウンスメントスイッチングフラグの各ビットが全て“０”にリセットされる。ニューフラグは、着目しているアナウンスメントが初めて放送されたものであるか（フラグは“１”）、以前に放送されたものを再送したものであるか（フラグは“０”）を示すものである。
【００２６】
図３は、ＭＰ２データのフレーム構造を示す図である。図３に示すように、ＭＰ２データには、ビットアロケーションデータ（Ｂｉｔ  Ａｌｌｏｃ．）とスケールファクタ（ＳｃＦ）と音声データとエラー検出用ワード（ＳｃＦ−ＣＲＣ（Cyclic Redundancy Check、巡回冗長検査））とが含まれている。ビットアロケーションデータは、音声データに含まれる音声波形データが示す音声の帯域（２０Ｈｚ〜２０ＫＨｚ）を３２のサブバンドに分割してそれぞれのサブバンドに音声成分が存在するか否かを示す周波数情報である。例えば、左右の音声に関して、各サブバンドに１ビット、合計で６４ビットがビットアロケーションデータに割り当てられている。スケールファクタは、各サブバンド毎の音声レベルを示す各周波数の振幅情報である。例えば、−９６ｄＢから０ｄＢのＤレンジ９６ｄＢで、ステップ０．２５ｄＢとすると各サブバンドについて４×９６＝３８４（５１２として９ビット）が必要になり、左右３２のサブバンドでは３２×２×９＝５７６ビット（７２バイト）が必要になる。エラー検出用ワードは、スケールファクタに含まれるエラーの有無を検出するためのものであり、これらのデータに基づいて計算されたＣＲＣ値とエラー検出用ワードに格納されたＣＲＣ値とが一致しない場合に、これらのデータが破損しているものと判定される。例えば、エラー検出用ワードとして２バイトが割り当てられている。上述した音声データが第１のデータに、ビットアロケーションデータが第２のデータに、スケールファクタが第３のデータに、エラー検出用ワードが第４のデータにそれぞれ対応する。
【００２７】
ＢＥ部３０は、ＦＥ部２０から出力される圧縮音声データ（ＭＰ２データ）が入力されており、出力対象となるサービスやアナウンスメントの切り替えや、切り替えられたサービス等に対応する圧縮音声データに対する展開処理などを行う。展開処理によって、例えばＩ2Ｓ（The Inter-IC Sound Bus）フォーマットの音声データが出力される。出力処理部３２は、ＢＥ部３０から出力される音声データが入力されており、アナログの音声信号に変換するとともに、音量の可変制御や他の音（例えば操作音）の重ね合わせ処理などを行う。アンプ３４は、出力処理部３２から出力される音声信号を増幅してスピーカ３６から増幅後の音声を出力する。
【００２８】
主制御部４０は、デジタル放送受信機全体の受信動作を制御するとともに、新規内容を有するアナウンスメントを受信したときにこのアナウンスメントの音声出力に切り替える制御を行う。この切替制御を行うために、主制御部４０は、比較部４２と切替部４４を備えている。なお、本発明におけるアナウンスメントの切替制御以外の通常の受信動作の制御に関する構成（受信対象となるサービスを選択する動作や受信中のサービスについて受信内容を表示する動作、受信を希望するアナウンスメントタイプを指定する動作などに必要な構成）については図示が省略されている。
【００２９】
比較部４２は、受信した放送信号から抽出されたアナウンスメントについて、前回抽出されたアナウンスメントと内容比較を行い、内容が同一であるか否かを判定する。切替部４４は、比較部４２によって比較対象の２つのアナウンスメントの内容が同一でない旨の判定がなされたときに、今回抽出されたアナウンスメントについて音声を出力する切替指示を行う。
【００３０】
表示装置５０は、デジタル放送受信機の動作状態を示す動作画面や各種操作を行うための操作画面などを表示する。操作部５２は、利用者が操作指示を行うためのものであり、各種の操作キーや操作つまみなどが含まれる。利用者による音量の変更指示や受信対象となるサービスやアナウンスメントタイプの切替指示などが操作部５２を用いて行われる。
【００３１】
メモリ６０は、比較対象となる２つのアナウンスメントのデータを格納する。格納対象となるデータは、２つのアナウンスメントデータの比較に必要なデータのみを格納対象にする場合や、この比較に必要なデータに加えて後に取得したアナウンスメントの内容を再生（音声出力）するために必要なデータを含んで格納対象にする場合が考えられる。いずれの格納対象を採用するかによって処理手順が異なり、その詳細については後述する。また、このメモリ６０は、デジタル放送受信機の電源が切断された場合にもその格納内容が保持される。例えば、メモリ６０として不揮発性メモリや電源バックアップ付きのＲＡＭ等が用いられている。
【００３２】
上述したＲＦ部１０、ＦＥ部２０、ＢＥ部３０が受信手段に、出力処理部３２、アンプ３４、スピーカ３６が音声出力手段に、比較部４２がアナウンスメント比較手段に、切替部４４がアナウンスメント切替手段に、メモリ６０がアナウンスメント格納手段にそれぞれ対応する。
【００３３】
本実施形態のデジタル放送受信機はこのような構成を有しており、次に、受信中のサービスの音声出力中にアナウンスメントを受信してこのアナウンスメントの音声出力に切り替える動作について説明する。
【００３４】
図４は、受信したアナウンスメントの音声に切り替える動作手順を示す流れ図である。図４に示す動作手順は、比較対象となる２つのアナウンスメントデータについて、比較に必要なデータとともに音声出力に必要なデータがメモリ６０に格納されることを前提としており、メモリ６０に格納されたアナウンスメントデータを用いて比較処理を行った後に、この格納されたアナウンスメントデータが読み出されて対応する音声出力が行われる。
【００３５】
デジタル放送受信機が起動されてサービスの受信を開始すると（ステップ１００）、主制御部４０は、受信対象のサービスに対応する音声出力を出力処理部３２に指示してスピーカ３６から音声出力を行う（ステップ１０２）。
【００３６】
このようなサービス受信動作と並行して、比較部４２は、アナウンスメントを受信したか否かを判定する（ステップ１０４）。判定対象となるアナウンスメントは、予め指定されたアナウンスメントタイプに一致するアナウンスメントであり、全てのアナウンスメントタイプを含むようにしてもよい。アナウンスメントを受信していない場合や受信したが指定されたアナウンスメントタイプと異なる場合にはステップ１０４の判定において否定判断が行われ、ステップ１００に戻ってサービスの受信動作を継続する。
【００３７】
また、指定されたアナウンスメントタイプのアナウンスメントを受信するとステップ１０４の判定において肯定判断が行われる。次に、比較部４２は、受信したアナウンスメントに含まれるＭＰ２データの全体をメモリ６０に格納する（ステップ１０８）。
【００３８】
また、比較部４２は、前回受信したアナウンスメントのＭＰ２データがメモリ６０に格納されているか否かを判定する（ステップ１１０）。この判定は、アナウンスメントタイプ毎に行われる。すなわち、１つのアナウンスメントタイプのみが指定されている場合には、単に前回受信したアナウンスメントのＭＰ２データが格納されているか否かが判定される。また、複数のアナウンスメントタイプが指定されている場合には、今回受信したアナウンスメントのアナウンスメントタイプに着目して、前回受信したアナウンスメントのＭＰ２データが格納されているか否かが判定される。格納されている場合には肯定判断が行われ、次に、比較部４２は、ＭＰ２データの内容が同一か否かを判定する（ステップ１１２）。２つのＭＰ２データの内容（アナウンスメントの内容）が同一か否かを判定する具体例については後述する。同一の場合には肯定判断が行われ、ステップ１０４に戻ってアナウンスメント受信の有無判定以降が繰り返される。
【００３９】
また、２つのＭＰ２データの内容が同一でない場合にはステップ１１２の判定で否定判断が行われる。次に、あるいは、前回受信したアナウンスメントのＭＰ２データがメモリ６０に格納されておらずステップ１１０の判定において否定判断が行われた場合にはその後、切替部４４は、今回受信したアナウンスメントの内容（ＭＰ２データ）をメモリ６０から読み出してＢＥ部３０に入力するとともに、この入力したＭＰ２データに対応する音声出力に変更する切替指示をＢＥ部３０に送る。以後、ＢＥ部３０からは、切替部４４によって入力されたＭＰ２データに対応するＩ2Ｓフォーマットの音声データが出力され、スピーカ３６からはこの音声データに対応する音声が出力される（ステップ１１４）。
【００４０】
その後、切替部４４は、アナウンスメントに対応する音声出力が終了したか否かを判定する（ステップ１１６）。終了していない場合には否定判断が行われ、ステップ１１４に戻ってアナウンスメントの音声出力が継続される。また、アナウンスメントに対応する音声出力が終了するとステップ１１６の判定において肯定判断が行われる。次に、切替部４４は、サービスの音声出力に変更する切替指示をＢＥ部３０に送る。以後、ＢＥ部３０からは、アナウンスメントに切り替える前のサービスのＭＰ２データに対応するＩ2Ｓフォーマットの音声データが出力され、スピーカ３６からはこの音声データに対応する音声が出力される（ステップ１１８）。その後、ステップ１０４に戻ってアナウンスメント受信の有無判定以降が繰り返される。
【００４１】
次に、２つのアナウンスメントが同一であるか否かを判定する図４のステップ１１２の動作について説明する。具体的には、（１）時間的な同期の確立、（２）音声波形の比較の順で処理が行われる。なお、これらの処理を行う際に、比較対象となる２つのアナウンスメントのデータに誤りがないことが前提となる。したがって、例えば図３に示したフレーム構造を有するＭＰ２データにおいてエラー検出用ワード（ＳｃＦ−ＣＲＣ）に基づいてエラーを検出した場合（スケールファクタを用いて計算したＣＲＣ値とエラー検出用ワードのＣＲＣ値とが一致しない場合）には、このＭＰ２データを判定対象から除外し、エラーのないＭＰ２データのみを用いて判定を行うことが望ましい。
【００４２】
（１）時間的な同期の確立
各アナウンスメントの送信が開始された後に本実施形態のデジタル放送受信機において各アナウンスメントを受信、蓄積して内容解析を行うまでの時間的なずれが生じる場合があり、この場合には同じ内容の２つのアナウンスメントであってもＭＰ２データの先頭位置が最大で数フレーム分ずれてしまうことが考えられる。したがって、音声波形を比較する前に、このずれを調整してＭＰ２データの位置合わせを行う必要がある。
【００４３】
図５は、ＭＰ２データの位置合わせの説明図である。図５に示す例では、前回のアナウンスメントに対応してＭＰ２データＡ、Ｂ、Ｃ、Ｄ、・・・がメモリ６０に格納されており、今回のアナウンスメントに対応してＭＰ２データａ、ｂ、ｃ、ｄ、・・・がメモリ６０に格納されているものとする。
【００４４】
比較部４２は、今回のアナウンスメントのＭＰ２データの中から１つを選択し、前回のアナウンスメントの同位置および前後位置の複数のＭＰ２データのそれぞれとの間で一致／不一致を調べる。図５に示す例では、今回のアナウンスメントのＭＰ２データの中からＭＰ２データａを選択し、前回のアナウンスメントの４つのＭＰ２データＡ、Ｂ、Ｃ、Ｄのそれぞれとの間で比較が行われる。この比較の結果、例えば、ＭＰ２データａとＭＰ２データＢとが一致したとすると、この一致したＭＰ２データａとＭＰ２データＢの各フレームの位置を合わせることで時間的な同期が確立する。
【００４５】
ところで、上述したＭＰ２データの比較は、図３に示すビットアロケーションデータを用いる場合、スケールファクタを用いる場合、エラー検出用ワードを用いる場合、音声データを用いる場合、これらを組み合わせる場合などが考えられる。音声データは、音声波形を示すデータであり、これを用いるということは音声波形の形状が一致するように位置合わせを行うことを意味する。また、ビットアロケーションデータやスケールファクタは、音声波形の特徴である周波数情報や各周波数の振幅情報を示すものであり、音声波形の形状が同じであればこれらの周波数情報や各周波数の振幅情報も同じとなるはずであるため、音声データを用いた場合と同様に音声波形の形状が一致するように位置合わせを行うことができる。さらに、エラー検出用ワード（ＣＲＣ値）は、スケールファクタが同じであれば同じ値を有するため、スケールファクタを用いた場合と同様に音声波形の形状が一致するように位置合わせを行うことができる。
【００４６】
なお、データ量は、エラー検出用ワードを用いる場合が最も少なく、ビットアロケーションデータやスケールファクタを用いる場合が次に少なく、音声データを用いる場合が最も多くなる。したがって、処理負担を軽減するためには、データ量が少ないエラー検出用ワードを用いることが望ましい。また、上述した例では、同じ内容を有する２つのアナウンスメントの位置合わせを行う方法を説明したが、異なる内容を有する２つのアナウンスメントについては一致するＭＰ２データが存在しない場合もあり（内容が異なっても先頭部分に共通の効果音等を挿入している場合もあるため、内容が異なるからといって必ずしもＭＰ２データが不一致になるとは限らない）、この場合には比較対象の２つのアナウンスメントは同一でないことになって、図４のステップ１１２において否定判断が行われる。
【００４７】
（２）音声波形の比較
比較部４２は、比較対象の２つのアナウンスメントについて上述した位置合わせを行った後、音声波形の一致／不一致を調べる。図６は、ＭＰ２データを用いた音声波形の比較動作の説明図である。図６に示す例では、ＭＰ２データａとＭＰ２データＢを用いて位置合わせが行われた場合について、比較対象となるＭＰ２データの組み合わせが示されている。このようにして各組み合わせ毎にＭＰ２データを比較し、２つのアナウンスメントの音声波形が同じであるか否かが判定される。なお、アナウンスメントの全部（例えば、アナウンスメントの再生時間を３０秒としたときに３０秒に対応するＭＰ２データ）について比較を行ってもよいが、一部のＭＰ２データを用いるようにしてもよい。また、このようにして音声波形を比較する場合に、図３に示す音声データを用いるようにしてもよいが、音声波形の特徴を表しているビットアロケーションデータやスケールファクタあるいはエラー検出用ワードのいずれかを用いるようにしてもよい。この点は、上述した「（１）時間的な同期の確立」の場合と同じであり、処理負担を軽減するためにはデータ量が少ないエラー検出用ワードを用いることが望ましい。
【００４８】
ところで、上述した比較対象となる２つのアナウンスメントの内容が同一か否かの判定（図４のステップ１１２）は、圧縮データであるＭＰ２データを用いて行ったが、展開後の非圧縮データであるＩ2Ｓフォーマットの音声データを用いるようにしてもよい。この場合に、「（１）時間的な同期の確立」と「（２）音声波形の比較」の両方においてＩ2Ｓフォーマットの音声データを用いるようにしてもよいが、いずれか一方についてＩ2Ｓフォーマットの音声データを用い、他方についてＭＰ２データを用いるようにしてもよい。
【００４９】
なお、図１では、Ｉ2Ｓフォーマットの音声データを用いる場合の音声データの入出力経路が点線で示されている。また、図４において、ステップ１０８では、比較部４２は、受信したアナウンスメントに対応するＩ2Ｓフォーマットの音声データをメモリ６０に格納し、ステップ１１４では、切替部４４は、今回受信したアナウンスメントに対応するＩ2Ｓフォーマットの音声データをメモリ６０から読み出して出力処理部３２に入力するとともに、この入力した音楽データに対応する音声出力に変更する切替指示を入力処理部３２に送る。以後、出力処理部３２からは、切替部４４によって入力されたＩ2Ｓフォーマットの音声データが出力され、スピーカ３６からはこの音声データに対応する音声が出力される。
【００５０】
図７は、受信したアナウンスメントの音声に切り替える動作手順の変形例を示す流れ図である。図４に示した動作手順では、新たにアナウンスメントを受信したときに、前回のアナウンスメントのデータが未格納の場合を除いて前回のアナウンスメントとの比較動作（ステップ１１２）を行っているが、新たに受信したアナウンスメントに対応してニューフラグがオン（値が“１”）に設定されている場合には、このアナウンスメントを比較動作の対象から除外して対応する音声出力を行うようにしてもよい。図７に示す動作手順では、図４に示した動作手順に対してステップ１０８とステップ１１０の間にステップ１０９の動作が追加されている。なお、上述したニューフラグが、アナウンスメントが同じ内容について再送されたものであるか否かを示す識別情報に対応している。
【００５１】
このステップ１０９では、比較部４２は、受信したアナウンスメントに対応するニューフラグがオンに設定されているか（値が“１”に設定されているか）否かを判定する。ニューフラグがオンに設定されている場合には肯定判断が行われる。この場合には、ステップ１１０、１１２の動作を経ずにステップ１１４に移行してアナウンスメントに対応する音声出力が行われる。一方、ニューフラグがオンに設定されていない場合にはステップ１０９の判定において否定判断が行われる。この場合には、図４に示した動作手順と同様にステップ１１０、１１２の判定動作が行われる。
【００５２】
図８は、受信したアナウンスメントの音声に切り替える動作手順の他の変形例を示す流れ図である。図４に示した動作手順では、比較対象となる２つのアナウンスメントデータについて、比較に必要なデータとともに音声出力に必要なデータがメモリ６０に格納され、このメモリ６０に格納されたアナウンスメントデータを用いて比較処理を行った後に、この格納されたアナウンスメントデータが読み出されて対応する音声出力が行われる。すなわち、メモリ６０に格納されたアナウンスメントデータを読み出して音声出力を行うことが前提となっていたが、２つのアナウンスメントデータの比較に必要なデータのみをメモリ６０に格納した場合には、このデータを読み出してもアナウンスメントの音声出力を行うことはできない。図８には、２つのアナウンスメントデータの比較に必要なデータのみをメモリ６０に格納した場合の動作手順が示されている。図８に示す動作手順では、図４に示した動作手順に対して、ステップ１０８、１１４をステップ１０８Ａ、１１４Ａに置き換えるとともにステップ１２０、１２２が追加されている。以後、これらの各ステップに着目して説明を行うものとする。
【００５３】
ステップ１０４の判定（アナウンスメントの受信判定）において肯定判断が行われると、比較部４２は、受信したアナウンスメントに含まれるＭＰ２データの中からアナウンスメントの比較に必要な一部のデータ（ビットアロケーションデータ、スケールファクタ、エラー検出用ワードあるいは音声データの一部）をメモリ６０に格納する（ステップ１０８Ａ）。次に、比較部４２は、今回受信したアナウンスメントが再生対象に指定（指定する動作は後述するステップ１２２において行われる）されているか否かを判定する（ステップ１２０）。再生対象に指定されていない場合には否定判断が行われ、図４に示した動作手順と同様にステップ１１０、１１２の判定動作が行われる。再生対象に指定されている場合にはステップ１２０の判定において肯定判断が行われる。次に、切替部４４は、再生対象として指定されたアナウンスメントに対応するＭＰ２データを出力する切替指示をＦＥ部２０に送る。以後、ＦＥ部２０からは、放送信号に含まれるＭＰ２データが出力され、ＢＥ部３０からはこのＭＰ２データに対応するＩ2Ｓフォーマットの音声データが出力され、スピーカ３６からはこの音声データに対応する音声が出力される（ステップ１１４Ａ）。
【００５４】
また、２つのＭＰ２データの内容が同一でない場合であってステップ１１２の判定で否定判断が行われた後、あるいは、前回受信したアナウンスメントのＭＰ２データがメモリ６０に格納されておらずステップ１１０の判定において否定判断が行われた後に、切替部４４は、今回受信したアナウンスメントとアナウンスメントタイプが同じである次回のアナウンスメントを再生対象に指定する（ステップ１２２）。すなわち、図８に示した変形例では、前回受信したアナウンスメントと内容が異なるアナウンスメント等を受信したときに、次回同じアナウンスメントタイプのアナウンスメントを受信した際に内容比較を行わずに音声出力が行われる。
【００５５】
図９は、受信したアナウンスメントの音声に切り替える動作手順の他の変形例を示す流れ図である。図９に示す動作手順は、図８に示した動作手順に対してステップ１０８Ａとステップ１２０の間にステップ１０９の動作が追加されている。このステップ１０９は、図７において追加されたステップ１０９と同じであり、受信したアナウンスメントに対応するニューフラグがオンに設定されているかが比較部４２によって判定される。ニューフラグがオンに設定されている場合には肯定判断が行われ、ステップ１２０の動作を経ずにステップ１１４Ａに移行してアナウンスメントに対応する音声出力が行われる。
【００５６】
このように、本実施形態のデジタル放送受信機では、放送信号に含まれるアナウンスメントを受信したときに、このアナウンスメントの内容が既に受信したアナウンスメントの内容と同じであるか否かが判定されるため、新規のアナウンスメントのみを出力対象にすることができ、未再生のアナウンスメントの聴き漏らしや同じ内容のアナウンスメントの重複再生を防止することができる。
【００５７】
また、圧縮音声データであるＭＰ２データを用いてアナウンスメントの内容比較を行うことにより、少ないデータ量で比較を行うことが可能になり、処理の負担を軽減することができる。あるいは、音声波形を示すＩ2Ｓフォーマットの音声データ等を用いてアナウンスメントの内容比較を行うことにより、データの圧縮形式等にかかわらず確実にアナウンスメントの比較を行うことができる。
【００５８】
また、アナウンスメントの内容比較を行う前に、比較対象となる２つのアナウンスメントの時間的なずれを調整（同期を確立）することにより、例えばアナウンスメントの送信が開始された後実際に受信機においてそのアナウンスメントを受信、蓄積して内容解析を行うまでの時間的なずれをなくすことができ、時間的なずれに起因してアナウンスメントが同一でないとする誤判定を防止することができる。
【００５９】
また、ニューフラグに基づいてアナウンスメントが新規のものであることがわかっているときにアナウンスメントの内容比較動作を省略する場合には、その分処理負担を軽減することが可能となる。
【００６０】
また、メモリ６０に、２つのアナウンスメントデータの比較に必要なデータとともにアナウンスメントの内容再生（音声出力）に必要なデータを格納することにより、受信したアナウンスメントが未再生であった場合にそのアナウンスメントのデータをメモリ６０から読み出して再生することで聴き漏らしを確実に防止することができる。あるいは、メモリ６０に、２つのアナウンスメントデータの比較に必要なデータのみを格納することにより、メモリ６０の容量を少なくすることができ、部品コストを低減することができる。
【００６１】
なお、本発明は上記実施形態に限定されるものではなく、本発明の要旨の範囲内において種々の変形実施が可能である。例えば、上述した実施形態では、ＤＡＢ／Ｔ−ＤＭＢ放送規格にしたがった放送信号を受信するデジタル放送受信機について説明したが、受信中のサービス（番組）と並行して配信されるアナウンスメントを受信する他の放送受信機についても本発明を適用することができる。
【産業上の利用可能性】
【００６２】
上述したように、本発明によれば、放送信号に含まれるアナウンスメントを受信したときに、このアナウンスメントの内容が既に受信したアナウンスメントの内容と同じであるか否かが判定されるため、新規のアナウンスメントのみを出力対象にすることができ、未再生のアナウンスメントの聴き漏らしや同じ内容のアナウンスメントの重複再生を防止することができる。
【符号の説明】
【００６３】
１０  ＲＦ部
２０  ＦＥ（フロントエンド）部
３０  ＢＥ（バックエンド）部
３２  出力処理部
３４  アンプ
３６  スピーカ
４０  主制御部
４２  比較部
４４  切替部
５０  表示装置
５２  操作部
６０  メモリ
【図１】
0005901394.tif 000002
【図２】
0005901394.tif 000003
【図３】
0005901394.tif 000004
【図４】
0005901394.tif 000005
【図５】
0005901394.tif 000006
【図６】
0005901394.tif 000007
【図７】
0005901394.tif 000008
【図８】
0005901394.tif 000009
【図９】
0005901394.tif 000010